(57)【要約】【課題】空気調和機の室内ユニットの送風性能を劣化させることなく、冷房運転時の吹き出し口周囲や上下風向変更羽根の結露を防止することが可能な空気調和機の室内ユニットを提供することを目的とする。【解決手段】熱交換された空気を室内に送出する吹出口１に導く空気流路１０を備え、前記吹出口１の両端部の少なくとも一方の下方部に空間部２を設けることで、熱交換された空気を、吹出口１の下方部に空間部２を持つ端部に誘うことができ、冷房運転時の結露を防止することが可能となる。【選択図】図２
2007113833.tif 000002
【特許請求の範囲】
【請求項１】
熱交換された空気を室内に送出する吹出口に導く空気流路を備え、前記吹出口の両端部の少なくとも一方の下方部に空間部を設けたことを特徴とする空気調和機の室内ユニット。
【請求項２】
空間部の上下幅を、吹出口の端部の上下幅の半分以下とすることを特徴とする請求項１に記載の空気調和機の室内ユニット。
【請求項３】
空間部を形成する面形状を略平面としたことを特徴とする請求項１または２に記載の空気調和機の室内ユニット。
【請求項４】
空間部を形成する面に整流機構を備えたことを特徴とする請求項１〜３のいずれか一項に記載の空気調和機の室内ユニット。
【請求項５】
整流機構を、空気流路内に突出させないように形成したことを特徴とする請求項４に記載の空気調和機の室内ユニット。
【発明の詳細な説明】
【技術分野】
【０００１】
本発明は、冷房運転時の結露を防止することを目的とした、空気調和機の室内ユニットに関するものである。
【背景技術】
【０００２】
一般に空気調和機の室内ユニットの吹き出し風は、吹出口から吹き出されるに際し、調和空気が吹出口に至る吹き出し風路内で上下風向変更羽根や左右風向変更羽根の影響により圧損が生じる場合や、調和空気の吹出風を作り出す役割を持つクロスフローファンの回転数が減少するといった場合に、吹出風は気流の乱れや風量低下が生じる。この場合、冷房運転時に吹き出し口周囲や上下風向変更羽根に結露を生じてしまう。従来は、こういった現象を防止する為に吹出口構造に対して、図４に示す段差７や整流板８といった何らかの整流機構を吹き出し風路内に設け、結露を防止していた（例えば、特許文献１及び２参照）。
【特許文献１】特開平７−１５８９５３号公報
【特許文献２】特開２０００−１９９６４２号公報
【発明の開示】
【発明が解決しようとする課題】
【０００３】
しかしながら、前記従来の構成では段差７や整流板８といった機構を吹き出し風路内に設けているので、吹き出し風に対して通風抵抗となり、空気調和機の室内ユニットの送風性能を劣化させるという課題を有していた。
【０００４】
本発明は、前記従来の課題を解決するもので、空気調和機の室内ユニットの送風性能を劣化させることなく、冷房運転時の吹き出し口周囲や上下風向変更羽根の結露を防止することが可能な空気調和機の室内ユニットを提供することを目的とする。
【課題を解決するための手段】
【０００５】
前記従来の課題を解決するために、本発明の空気調和機の室内ユニットは、熱交換された空気を室内に送出する吹出口に導く空気流路を備え、前記吹出口の両端部の少なくとも一方の下方部に空間部を設けたことを特徴としたものである。これによって、熱交換された空気を、吹出口下方部に空間部を持つ端部に誘うことができ、冷房運転時の結露を防止することが可能となる。
【発明の効果】
【０００６】
本発明は、冷房運転時の結露を防止することができる空気調和機の室内ユニットを提供することができる。
【発明を実施するための最良の形態】
【０００７】
第１の発明は、熱交換された空気を室内に送出する吹出口に導く空気流路を備え、前記吹出口の両端部の少なくとも一方の下方部に空間部を設けたことで、熱交換された空気を、吹出口下方部に空間部を持つ端部に誘うことができるため、前記端部での気流の乱れを抑え、冷房運転時の結露を防止することが可能となる。また、吹出口上方部は前記吹出口下方部に比べて凸形状となっているので、前記吹出口の端部を形成し室内ユニット正面側が略平面形状である正面壁の上部に位置する、空気がよどみ易いくぼみ部へ、冷房運転時に送風が巻き込まれて冷却され、周囲の多湿空気に触れて結露してしまうことを防止することが可能となる。
【０００８】
第２の発明は、特に、第１の発明において、空間部の上下幅を、吹出口の端部の上下幅の半分以下とすることで、吹出口下方部に比べて凸形状となる吹出口上方部の上下幅の割合が少なくとも半分は確保することができるので、前記吹出口の端部を形成し室内ユニット正面側が略平面形状である正面壁の上部に位置する、空気がよどみ易いくぼみ部へ、冷房運転時に送風が巻き込まれて冷却され、周囲の多湿空気に触れて結露してしまうことをより十分に防止することが可能となる。
【０００９】
第３の発明は、特に、第１または第２の発明において、空間部を形成する面形状を略平面とすることで、熱交換された空気を、吹出口下方部に空間部を持つ端部に更に誘いやすくすることできるため、前記端部での気流の乱れを更に抑え、効果的に結露を防止することが可能となる。
【００１０】
第４の発明は、特に、第１〜第３のいずれか1つの発明において、空間部を形成する面形状に整流機構を備えることで、前記整流機構の整流作用によって、熱交換された空気を、吹出口下方部に空間部を持つ端部に更に誘いやすくすることができるため、前記端部での気流の乱れを更に抑え、効果的に結露を防止することが可能となる。
【００１１】
第５の発明は、特に、第４の発明において、整流機構を、空気流路内に突出させないように形成したことで、通風抵抗が増加せず、空気調和機の室内ユニットの送風性能を劣化させない。さらに、熱交換された空気を、吹出口下方部に空間部を持つ端部での気流の乱れを更に抑え、効果的に結露を防止することが可能となる。
【００１２】
以下、本発明の実施の形態について、図面を参照しながら説明する。なお、この実施の形態によって本発明が限定されるものではない。
【００１３】
（実施の形態１）
図１は、本発明の第１の実施の形態における空気調和機の室内ユニットの斜視図を示すものである。図１において、空気調和機の室内ユニットで熱交換された空気は、空気流路を通り、吹出口１から吹き出される。吹出口１には、上下の風向きを変更する、上下風向変更羽根３が配設されている。
【００１４】
以上のように吹出口が構成されている空気調和機の室内ユニットについて、以下その動作、作用を説明する。図２、図３は、図１の吹出口１の一方の端であるＡ部の拡大図である。図２、図３においては、説明を明解にするために、上下風向変更羽根の図示を省略している。
【００１５】
図２において、吹出口１の端部の下方部に空間部２、前記吹出口１の端部を形成し室内ユニット正面側が略平面形状である正面壁４、正面壁４の上部に位置するくぼみ部５、空気流路１０が形成されており、空気の流れは矢印で示す。空間部２を形成する面は図２に示すように、略平面形状となっている。
【００１６】
まず、室内ユニット内で熱交換された空気は空気流路１０を通り、吹出口１より室内に放出される。この時、前記吹出口１の端部の下方部に形成されている空間部２があることによって、空気を放出する時に吹出口端部付近で発生する気流の流れを抑えることができ、その結果、冷房運転時の結露を防止することが可能となる。また、吹出口１の端部の上方部は下方部の空間部２に比べて凸形状となっているので、冷房運転時にくぼみ部５へ冷風が巻き込まれて冷却され、周囲の多湿空気に触れて結露してしまうことを防止することができる。また空間部２の上下幅Ｍは、吹出口１の端部の上方部の上下幅Ｌよりも狭い構成となっており、上下幅Ｍは上下幅Ｌと等しいか、もしくは狭い構成となっている方がより好ましい。そのような構成とすることで、くぼみ部５への冷風の巻き込みが十分に防止
することができる。また空間部２を形成する面の形状を略平面形状としたことで、吹出口１から吹出される空気が端部に誘い込まれやすいが、同様に端部に誘い込む形状であれば略平面形状に限るものではない。
【００１７】
また図３に示すように、空間部２を形成する面に整流機構６を備えてもよい。このように、空間部２を形成する面に整流機構６を備えた構成にすることで、さらに吹出口１から吹出される空気が端部に誘い込まれやすくなり、気流の乱れを抑え、効果的に結露を防止することができる。
【００１８】
また、整流機構６を、空気流路１０を形成する側面よりも外側に配設することで、通風抵抗が増加せず、空気調和機の室内ユニットの送風性能を劣化させない。
【００１９】
以上のように、本実施の形態では、熱交換された空気を室内に送出する吹出口１に導く空気流路１０を備え、前記吹出口１の両端部の少なくとも一方の下方部に空間部２を設けたことで、熱交換された空気を、吹出口１の下方部に空間部２を持つ端部に誘うことができるため、前記端部での気流の乱れを抑え、冷房運転時の結露を防止することが可能となる。また、吹出口１の上方部は吹出口１の下方部に比べて凸形状となっているので、吹出口１の端部を形成し室内ユニット正面側が略平面形状である正面壁４の上部に位置する、空気がよどみ易いくぼみ部５へ、冷房運転時に送風が巻き込まれて冷却され、周囲の多湿空気に触れて結露してしまうことを防止することが可能となる。
【００２０】
また、空間部２を形成する面には整流機構６を設けてもよい。
【産業上の利用可能性】
【００２１】
以上のように、本発明にかかる空気調和機の室内ユニットは、室内ユニットの送風性能を劣化させることなく吹出口の端部や上下風向変更羽根の結露を防止することが可能となるので、送風性能の劣化による消費電力増大が発生せず、省エネルギーに大きく貢献することが可能となるので、空気調和機全般に適用することができる。
【図面の簡単な説明】
【００２２】
【図１】本発明の実施の形態１における空気調和機の室内ユニットの斜視図
【図２】同吹出口の端部拡大斜視図
【図３】同吹出口の端部拡大斜視図
【図４】従来の空気調和機の室内ユニットの吹出口の端部拡大斜視図
【符号の説明】
【００２３】
１  吹出口
２  空間部
３  上下風向変更羽根
４  正面壁
５  くぼみ部
６  整流機構
１０  空気流路
【図１】
2007113833.tif 000003
【図２】
2007113833.tif 000004
【図３】
2007113833.tif 000005
【図４】
2007113833.tif 000006